(57)【要約】【課題】  別途テープ等の部品を用いることなく、ドアの運搬中などにアームストッパーのスライダーが移動するのを防止でき、且つスライダーとアームを連結する作業の作業性を改善できるドアの提供。【解決手段】  戸先框１の上端部に取付けた小口キャップ２ａと、上框３の長手方向に設けた係止溝４にスライド自在に取付けたアームストッパーのスライダー６とを備え、小口キャップ２ａは、戸先框１内に上方から入る挿入部７と、戸先框１の小口塞ぎ部８と、上框３の係止溝４内に位置するスライダー係合部９とを有し、スライダー６は、小口キャップ２ａのスライダー係合部９に係脱自在な被係止部１０と、アームストッパーのアーム２２の一端部が回動自在に且つ係脱自在に係合するアーム係合部３５とを有し、アーム２２の一端部がアーム係合部３５から外れているときに、スライダーの被係止部１０を小口キャップのスライダー係合部９に係止可能とした。【選択図】      図１
2008175007.tif 000002
【特許請求の範囲】
【請求項１】
戸先框の上端部に取付けた小口キャップと、上框の長手方向に設けた係止溝にスライド自在に取付けたアームストッパーのスライダーとを備え、小口キャップは、戸先框内に上方から入る挿入部と、戸先框の小口塞ぎ部と、上框の係止溝内に位置するスライダー係合部とを有し、スライダーは、小口キャップのスライダー係合部に係脱自在な被係止部と、アームストッパーのアームの一端部が回動自在に且つ係脱自在に係合するアーム係合部とを有し、アームの一端部がアーム係合部から外れているときに、スライダーの被係止部を小口キャップのスライダー係合部に係止可能としたことを特徴とするドア。
【請求項２】
小口キャップは、挿入部が戸先框内に上方から挿脱自在であり、小口塞ぎ部の吊元側面で上框の係止溝の戸先側の開口を塞いでおり、スライダー係合部は上下方向から上框の係止溝に係脱自在に設けてあり、スライダー係合部を上框の係止溝に係止することで小口キャップを抜け止めしていることを特徴とする請求項１記載のドア。
【発明の詳細な説明】
【技術分野】
【０００１】
本発明は、浴室の出入り口等に用いられるアームストッパー付きのドアに関する。
【背景技術】
【０００２】
浴室の出入り口等に設けられるドアにおいては、ドアを開けたときにドアの取っ手が壁に衝突して壁のタイル等を破損するのを防ぐために、ドアの上框と上枠との間にアームストッパーを設けてドアの開き角度を規制している。アームストッパーは、特許文献１に記載されているように、上框の溝内に収納してスライド自在に設けたスライダーと、端部を上枠とスライダーとにそれぞれ回動自在に連結したアームと、上框の溝内に固定したストッパー部材とで構成され、ドアを開くのに伴ってスライダーが戸先側から吊元側に向けてスライドし、上框の溝内に固定したストッパー部材にスライダーが当ることでドアの開き角度が規制される。
【０００３】
ドアは、上框の溝内にスライダーを収納した状態で出荷され、施工現場においてドアをドア枠に取付けた後、スライダーとアームとを連結している。このとき、スライダーはドアの正面から視認できず、ドア運搬中にスライダーが上框の溝内を移動してどこにあるか分からなくなると、手探りでスライダーを探し出してアームと連結しなければならず、非常に煩雑である。また、この作業はドアを開いた状態で行うが、作業中に誤ってドアを閉鎖してしまうことがあり、特にスライダーが吊元側に移動していた場合に、上枠と上框の間で指を詰めやすいという問題がある。
【０００４】
このような不都合を避けるために、従来はドアを出荷する際にスライダーを上框の所定の位置にテープで固定し、そのテープをドア見付け方向まではみ出しておくことで、運搬中のスライダーの移動を防止するとともに、ドア正面からスライダーの位置を確認できるようにしている。そのため、テープの貼付けや取外し、テープの廃棄に、余分な手間と費用が掛かっていた。
また従来は、小口キャップを抜け止めするために、戸先框の中空部内に上方から差し込む小口キャップの挿入部の側面に突起状の係合部を設け、戸先框に前記係合部と係合する孔を形成し、これらを互いに係合することで小口キャップを抜け止めしており、小口キャップの形状が複雑になるとともに、戸先框に小口キャップを抜け止めするために面倒な加工をしなければならなかった。
【特許文献１】特許第３１４５６４５号公報
【発明の開示】
【発明が解決しようとする課題】
【０００５】
本発明は以上に述べた実情に鑑み、別途テープ等の部品を用いることなく、ドアの運搬中などにアームストッパーのスライダーが移動するのを防止でき、且つスライダーとアームを連結する作業の作業性を改善できるドアの提供を目的とする。
【課題を解決するための手段】
【０００６】
上記の課題を達成するために請求項１記載の発明によるドアは、戸先框の上端部に取付けた小口キャップと、上框の長手方向に設けた係止溝にスライド自在に取付けたアームストッパーのスライダーとを備え、小口キャップは、戸先框内に上方から入る挿入部と、戸先框の小口塞ぎ部と、上框の係止溝内に位置するスライダー係合部とを有し、スライダーは、小口キャップのスライダー係合部に係脱自在な被係止部と、アームストッパーのアームの一端部が回動自在に且つ係脱自在に係合するアーム係合部とを有し、アームの一端部がアーム係合部から外れているときに、スライダーの被係止部を小口キャップのスライダー係合部に係止可能としたことを特徴とする。
【０００７】
請求項２記載の発明によるドアは、請求項１記載の発明の構成に加え、小口キャップは、挿入部が戸先框内に上方から挿脱自在であり、小口塞ぎ部の吊元側面で上框の係止溝の戸先側の開口を塞いでおり、スライダー係合部は上下方向から上框の係止溝に係脱自在に設けてあり、スライダー係合部を上框の係止溝に係止することで小口キャップを抜け止めしていることを特徴とする。
【発明の効果】
【０００８】
請求項１記載の発明によるドアは、アームストッパーのスライダーとアームとを連結する前、アームの一端部がスライダーのアーム係合部から外れているときに、スライダーの被係止部を小口キャップのスライダー係合部に係止することで、別途テープ等の部品を用いることなく、スライダーをドアの運搬中等に動かないように小口キャップに係止できる。さらに、スライダーを戸先框の小口キャップに隣接した所定の位置に係止することで、スライダーとアームとを連結する際に、手探りでスライダーを探す必要がなく、指詰めの危険性が高い吊元側に作業者が手を近付ける必要がないので、簡単に且つ安全に作業が行える。
【０００９】
さらに、請求項２記載の発明によるドアは、挿入部を戸先框内に挿入するようにして小口キャップを戸先框に上方から取付けると、スライダー係合部が上框の係止溝に係止して小口キャップが抜け止めされるので、戸先框や上框に小口キャップ固定用に孔等を加工する必要がなく、小口キャップ周辺の構造を簡略化できる。しかも、小口キャップの小口塞ぎ部の吊元側面で上框の係止溝の戸先側の開口を塞いでいるため、小口キャップを上方に引き抜けば上框の係止溝の戸先側の開口が開放し、スライダーを係止溝に戸先側から抜き差しでき、スライダーが破損した際などにスライダーの交換が容易に行える。
【発明を実施するための最良の形態】
【００１０】
以下、本発明の実施の形態を図面に基づいて説明する。図５は、浴室の出入り口に設ける浴室ドアの浴室側から見た正面図であり、図６は図５のＢ−Ｂ断面図であり、図７はドアを途中まで開けた状態の平面図である。本浴室ドアは、図５に示すように、浴室と脱衣室との間の躯体開口部に、上枠１１と下枠１２と左右の竪枠１３ａ，１３ｂを枠組みしてなるドア枠１４が取り付けてあり、上下枠１１，１２間にドア１５が上下のピボットヒンジ１６ａ，１６ｂを介して浴室側に回動して開くように取付けてある。ドア１５は、アルミニウム合金の中空押出形材よりなる上框３と下框１７と戸先框１と吊元框１８とを四方枠組みし、その枠の内側に合成樹脂のパネル１９を取付けたものとなっている。戸先框１と吊元框１８の上下端部には合成樹脂製の小口キャップ２ａ，２ｂ，２ｃ，２ｄがそれぞれ取付けてあり、戸先框１と吊元框１８の小口を塞いである。上枠１１と上框３との間には、ドア１５の開き角度を規制するアームストッパー５を設けてある。
【００１１】
アームストッパー５は、図５と図６に示すように、上框３の長手方向に設けた係止溝４内にスライド自在に取付けたスライダー６と、一端部をスライダー６に回動自在に連結し他端部を上枠１１の下面に取付けたブラケット２０に垂直軸２１で回動自在に連結したアーム２２と、上框３の係止溝４内に固定して取付けたストッパー部材２３とで構成され、図７に示すように、ドア１５を開くとそれに伴ってスライダー６が戸先側から吊元側にスライドし、スライダー６がストッパー部材２３に当ることでドア１５の開き角度が規制される。
【００１２】
この浴室ドアは、ドア１５の戸先側上部及びスライダー６の構造に新規な特徴があり、以下、その特徴について図１〜図４に即して詳細に説明する。図１はドア１５の戸先側を拡大して示す平面図であり、図２はドア１５の戸先側上部を拡大して示す浴室側の正面図であり、図３は図２のＡ−Ａ断面図であり、図４はドア１５の戸先側上部の分解斜視図である。
戸先框１は、図４に示すように、矩形断面の筒状に形成され、ドア１５内周側の側面にパネル保持溝２４を有している。上框３は、上部に上面側が開放した係止溝４を形成する略リップ溝形のレール部２５が脱衣室側に張り出す形で形成してあり、係止溝４内にスライダー６をスライド自在に取付けている。レール部２５の下方には、縦長の長方形の筒状部２６が連続して形成してある。筒状部２６には上下２箇所にタッピングホール２７，２７が設けてあり、筒状部２６の下面にパネル保持溝２８が設けてある。
【００１３】
戸先框１と上框３の連結構造を説明すると、戸先框１のドア１５内周側の側面に切り欠き２９を設けて戸先框１のパネル保持溝２４内に上框３の筒状部２６を嵌合させ、上框３のレール部２５の下面を戸先框１の上端面に当接した上で、戸先框１の中空部内に矩形座金３０を係止保持させ、ドア１５外周側から戸先框１に挿通した２本のネジ３１，３１を上框３のタッピングホール２７，２７に螺入することにより、戸先框１と上框３とを連結固定している。
【００１４】
小口キャップ２ａは、硬質樹脂で一体成形したものであり、戸先框１の中空部内に上方から挿脱自在な挿入部７と、挿入部７の上方に挿入部７の周囲に張り出すように設けた小口塞ぎ部８とを有している。小口塞ぎ部８は、上框３のレール部２５と略同じ高さを有しており、図２に示すように、小口塞ぎ部８の上面と上框３の上面とが略同一面となっている。小口塞ぎ部８は、下面が戸先框１の上端面に当接して戸先框１の中空部を塞ぎ、且つ吊元側面８ａがレール部２５の戸先側端面に当接して係止溝４の戸先側の開口を塞いでいる。小口塞ぎ部８の吊元側面８ａには、吊元側に向けて突出する平面視略Ｔ字形のスライダー係合部９，９が、見込み方向に間隔を開けて２つ対称に形成してある。スライダー係合部９先端の板状部は、図３と図４に示すように、外側の側面と底面とのコーナー部に斜面３２を形成してあり、外側の側面と上面とのコーナー部には僅かな凹み３３が形成してある。
【００１５】
小口キャップ２ａは、戸先框１と上框３とをネジ３１，３１で連結固定し、さらに上框３の係止溝４内にスライダー６を戸先側から収納した後、挿入部７を戸先框１の中空部内に上方から差し込んで取付けられる。このときスライダー係合部９，９は、斜面３２が上框３のレール部２５上面の開口縁部に押されて若干内側に曲がり、挿入部７を完全に挿入して小口塞ぎ部８の下面が戸先框１上端面に当接すると、図３に示すように、スライダー係合部９，９が上框３の係止溝４内に収納され、且つ凹み３３にレール部２５上面の開口縁部が係止し、これにより小口キャップ２ａが戸先框１から抜けないように抜け止めされる。小口キャップ２ａを取外すときは、小口キャップ２ａを上方に強めに引っ張ればよく、このときスライダー係合部９，９は内側に曲がるように弾性変形し、係止溝４から上方に抜ける。小口キャップ２ａを取外すと、上框３の係止溝４が戸先側に開放し、スライダー６を戸先側から係止溝４に容易に抜き差しできる。
【００１６】
スライダー６は、硬質樹脂で一体成形したものであり、形状は矩形の板状となっており、その中央部には、図６に示すように、アームストッパー５のアーム２２の一端部に垂下して設けたピン３４を差し込むピン差込孔３５が上下に貫通して形成してある。スライダー６上面のピン差込孔３５の周囲には円筒状の突起３６が形成してあり、図２に示すように、スライダー６を上框３の係止溝４に収納した状態で当該突起３６が上框３上面から少し突き出ている。ピン差込孔３５の内面下部には係止突起３７が円周方向に分割して形成してあり、図６に示すように、アーム２２のピン３４をピン差込孔３５に上方から差し込むと、ピン３４下部に設けた鍔部３８が係止突起３７に係止し、ピン３４が抜け止めされるようになっている。
スライダー６の戸先側面には、平面視略「く」の字形の被係止部１０，１０が、見込み方向に間隔を開けて２つ対称に形成してある。ドア１５を工場から出荷するときには、図１に示すように、スライダー６の被係止部１０，１０を小口キャップ２ａのスライダー係合部９，９の内側に係止させることで、ドア１５の運搬中にスライダー６が動かないように、簡単にしかも確実にスライダー６を小口キャップ２ａに係止できる。
【００１７】
ドア１５をピボットヒンジ１６ａ，１６ｂでドア枠１４に取付けたら、ドア１５を半開きにした状態で、スライダー６の小口キャップ２ａとの係止を解除し、スライダー６を手で吊元側にスライドさせつつ、スライダー６のピン差込孔３５にアーム２２のピン３４を上方から差し込み、アーム２２とスライダー６とを連結する。ドア１５をドア枠１４に取付けた時点では、スライダー６は常に戸先側の小口キャップ２ａに隣接した所定の位置にあり、しかもスライダー６の突起３６が上框３上面から少し突き出ているので、作業者はスライダー６の位置をドア正面から容易に認識でき、上框３上面を手で探ってスライダー６を探す必要がない。スライダー６の小口キャップ２ａとの係止を解除するには、スライダー６の突起３６を指で触って吊元側に押すだけで、被係止部１０，１０が弾性変形してスライダー係合部９，９から外れるので、簡単に解除できる。このように、スライダー６を戸先框１の小口キャップ２ａに係止する構造を採用したことで、アーム２２とスライダー６の連結を行う際に、作業者が指詰めの危険が大きい吊元側に手を近付ける必要がなく、安全に且つ迅速に作業が行える。
【００１８】
スライダー６が破損したときには、ドア１５を半開きにした状態でアーム２２の一端部を上に押し上げるようにしてピン３４をピン差込孔３５から抜き、小口キャップ２ａを戸先框１から上方に引き抜き、すると上框３の係止溝４が戸先側に開放するので、スライダー６を戸先側から係止溝４に抜き差しして簡単に新しいものと交換できる。
【００１９】
図８は、本発明のドア１５の他の実施形態を示している。この実施形態では、小口キャップ２ａの小口塞ぎ部８が上框３の上面から飛び出る形になっており、スライダー係合部９は小口塞ぎ部８の吊元側の下面から下方に突出して設けてあり、スライダー係合部９が挿入部７の吊元側に位置している。小口キャップ２ａは、先に述べた実施形態のものと同じように、挿入部７を戸先框１の中空部内に上方から差し込むようにして戸先框１に取付けられ、スライダー係合部９が上框３の係止溝４に係止することで抜け止めされる。戸先框１は、図８（ｂ）に示すように、上框３の係止溝４の戸先側の開口に対応する形で切り欠き３９が設けてあり、小口キャップ２ａを取外すと上框１の係止溝４の戸先側の開口が開放し、戸先側から係止溝４にスライダー６を抜き差しし、スライダー６を交換できる。
【００２０】
図９は、本発明のドア１５のさらに別の実施形態を示している。この実施形態では、小口キャップ２ａの小口塞ぎ部８が上框３の上面から飛び出る形になっており、スライダー係合部９は挿入部７の吊元側面から吊元側に突出して設けてある。小口キャップ２ａは、先に述べた実施形態のものと同じように、挿入部７を戸先框１の中空部内に上方から差し込むようにして戸先框１に取付けられ、スライダー係合部９が上框３の係止溝４に係止することで抜け止めされる。戸先框１は、図９（ｂ）に示すように、上框３の係止溝４の戸先側の開口に対応する形で切り欠き３９が設けてあり、小口キャップ２ａを取外すと上框１の係止溝４の戸先側の開口が開放し、戸先側から係止溝４にスライダー６を抜き差しし、スライダー６を交換できる。
【００２１】
本発明は以上に述べた実施形態に限定されない。小口キャップのスライダー係合部とスライダーの被係止部とは互いに係脱自在に形成してあればよく、形状は適宜変更することができ、またスライダー係合部と被係止部は必ずしも２つずつ設ける必要はなく、一つずつでもよい。また小口キャップのスライダー係合部は、上框の係止溝に係止しない形で設けることもできる。本発明のドアは、浴室ドアに限らず、アームストッパーを用いるあらゆるドアに利用できる。
【図面の簡単な説明】
【００２２】
【図１】ドアの戸先側を拡大して示す平面図であって、スライダーを小口キャップに係止した状態を示している。
【図２】ドアの戸先側上部を拡大して示す浴室側の正面図であって、スライダーを小口キャップに係止した状態を示している。
【図３】図２のＡ−Ａ断面図である。
【図４】ドアの戸先側上部の分解斜視図である。
【図５】浴室ドアの浴室側から見た正面図である。
【図６】図５のＢ−Ｂ断面図である。
【図７】ドアを途中まで開けた状態の平面図である。
【図８】（ａ）は本発明のドアの他の実施形態を示すドア戸先側上部の浴室側正面図であり、（ｂ）は（ａ）のＡ−Ａ断面図である。
【図９】（ａ）は本発明のドアのさらに別の実施形態を示すドア戸先側上部の浴室側正面図であり、（ｂ）は（ａ）のＡ−Ａ断面図である。
【符号の説明】
【００２３】
１  戸先框
２ａ  小口キャップ
３  上框
４  係止溝
５  アームストッパー
６  スライダー
７  挿入部
８  小口塞ぎ部
８ａ  小口塞ぎ部の吊元側面
９  スライダー係合部
１０  被係止部
１４  ドア枠
１５  ドア
２２  アーム
３４  ピン
３５  ピン差込孔（アーム係合部）
【図１】
2008175007.tif 000003
【図２】
2008175007.tif 000004
【図３】
2008175007.tif 000005
【図４】
2008175007.tif 000006
【図５】
2008175007.tif 000007
【図６】
2008175007.tif 000008
【図７】
2008175007.tif 000009
【図８】
2008175007.tif 000010
【図９】
2008175007.tif 000011